(57)【要約】【課題】書き込み回数が制限されている記録媒体を使用した場合にも安全に媒体を廃棄可能とする。【解決手段】本発明によれば、同一の記録領域に対して一回のみデータの書き込みが可能なメモリカードに対して情報データを書き込む装置で、メモリカードにおいて情報データが書き込まれていないアドレスを検出し、前記検出されたアドレスの少なくとも一部に対して所定のデータを書き込む構成とした。【選択図】      図５
2004252697.tif 000002
【特許請求の範囲】
【請求項１】
同一の記録領域に対して一回のみデータの書き込みが可能な記録媒体に対して情報データを書き込む書き込み手段と、
前記記録媒体のうち前記情報データが書き込まれていない記録領域を検出し、前記検出された記録領域の少なくとも一部に対して所定のデータを書き込むよう前記書き込み手段を制御する制御手段を備える記録装置。
【請求項２】
前記制御手段は前記検出された記録領域のうちの所定の記録領域に対して前記所定のデータを書き込むよう前記書き込み手段を制御することを特徴とする請求項１記載の記録装置。
【請求項３】
前記制御手段は、前記記録媒体において前記情報データを管理するための管理データの記録領域内で情報データが書き込まれていない記録領域の一部に前記所定のデータを書き込むよう前記書き込み手段を制御することを特徴とする請求項２記載の記録装置。
【請求項４】
前記制御手段は、前記情報データが正常に読み取れなくなるように前記所定のデータを書き込む記録領域を決定することを特徴とする請求項１記載の記録装置。
【請求項５】
前記所定のデータは前記情報データとは無関係なデータであることを特徴とする請求項１記載の記録装置。
【請求項６】
撮像手段と、
前記撮像手段により得られた画像データを、同一の記録領域に対して一回のみデータの書き込みが可能な記録媒体に対して書き込む書き込み手段と、
前記記録媒体のうち前記画像データが書き込まれていない記録領域を検出し、前記検出された記録領域の少なくとも一部に対して所定のデータを書き込むよう前記書き込み手段を制御する制御手段を備える記録装置。
【請求項７】
同一の記録領域に対して一回のみデータの書き込みが可能な記録媒体に対して電圧を印加することにより情報データを書き込む書き込み手段と、
通常の記録モードと、前記記録媒体に記録された情報データを破棄するための破棄モードとを切り替えるモード切り替え手段と、
前記通常の記録モードと前記破棄モードとで、前記記録媒体に印加する電圧の値を変更する制御手段とを備える記録装置。
【請求項８】
前記制御手段は前記破棄モードにおいて前記通常の記録モードとは逆極性の電圧を印加するよう前記書き込み手段を制御することを特徴とする請求項７記載の記録装置。
【請求項９】
前記記録媒体はメモリカードを含むことを特徴とする請求項１から８記載の記録装置。
【発明の詳細な説明】
【０００１】
【発明の属する技術分野】
本発明は記録装置に関し、特に、書き込み回数が制限されている記録媒体に対してデータを書き込む装置に関する。
【０００２】
【従来の技術】
従来、画像データを撮影してメモリカードに記録するデジタルカメラが知られている。デジタルカメラでは、繰り返しデータの消去可能なメモリカードを使うことが一般的である。
【０００３】
このメモリカードを使って撮影を行う場合、最初にメモリカードをフォーマットすることで、一括して内部のデータは消去する。具体的には、この時、メモリの各素子に対して“１”あるいは“０”のどちらかの値を書き込む状態とする。
【０００４】
この後、メモリカードに対して画像データを記録していくが、その時、書き込んだデータとデータを何処まで書いたかという情報を記録していくことになる。画像データを記録したメモリカードは、必要に応じてフォーマットし直してデータの消去を行った後に再使用するという使い方ができる。
【０００５】
この種のメモリカードは、繰り返し記録データの消去をするための回路や構造を持つため、どうしても高価にならざるを得ない。
【０００６】
そこで、近年、再使用をせず、一度だけデータの書き込みを許可することで、記録データの消去をするための回路や構造を省き、より安価なメモリカードが提案されている。このカードをＯｎｅ  Ｔｉｍｅメモリカード（以下ＯＴメモリカードと記す）と呼ぶ。
【０００７】
このＯＴメモリカードの場合、画像データなどの書き込みに関しては書き換え可能な通常のメモリカードと差異はないものの、フォーマット動作ができないので記録されたデータはそのまま保持されることになる。
【０００８】
【発明が解決しようとする課題】
この様に、ＯＴメモリカードではフォーマット動作ができず記録したデータがいつまでも残ってしまう。そのため、記録したデータをそのまま保存する場合には特に問題はないものの、このＯＴメモリカードを破棄する場合には、記録したデータを消去できないために、他者にデータを見られたり利用されたりするなどの安全上の問題が発生することになる。
【０００９】
このような問題は通常の書き換え可能なメモリカードを使用している場合には発生しない問題である。
【００１０】
本発明はこの様な問題を解決し、書き込み回数が制限されている記録媒体を使用した場合にも安全に媒体を廃棄可能とすることを目的とする。
【００１１】
【課題を解決するための手段】
前記課題を解決するため、本発明においては、同一の記録領域に対して一回のみデータの書き込みが可能な記録媒体に対して情報データを書き込む書き込み手段と、前記記録媒体のうち前記情報データが書き込まれていない記録領域を検出し、前記検出された記録領域の少なくとも一部に対して所定のデータを書き込むよう前記書き込み手段を制御する制御手段を備える構成とした。
【００１２】
【発明の実施の形態】
図１は本発明が適用されるデジタルカメラ１００の構成を示すブロック図である。
【００１３】
図１において、１０１は撮像部であり、被写体画像を撮影してデジタル画像データを生成し、信号処理部１０２に出力する。１０２は信号処理部であり、撮影時には撮像部１０１からの画像データを符号化してカードＩ／Ｆ１０４に出力し、再生時にはカードＩ／Ｆにより再生された画像データを復号して表示部１０３に出力する。また信号処理部１０２は撮像部１０１からの画像データを表示部１０３に出力して表示する。１０３は表示部であり、撮影時には被写体画像を表示し、再生時にはメモリカードＭから再生された画像データを表示する。
【００１４】
１０４はカードＩ／Ｆであり、メモリカードＭに対して画像データの書き込み、読み出しを行う。１０５は制御部であり、操作部１０６からの指示に従って信号処理部１０２とカードＩ／Ｆ１０４の動作を制御する。１０６は操作部であり、記録キーや再生スイッチなど、各種の操作キーを含む。
【００１５】
本形態のデジタルカメラ１００は、繰り返しデータの書き換えが可能な通常のメモリカードと、同一のアドレスに対して１回のみデータの書き込みが可能なＯＴメモリカードとに対して画像データの書き込み、読み出しが可能である。
【００１６】
図２は本形態にて扱うメモリカードＭのうち、通常のメモリカードの構成を示す図である。また、図３はＯＴメモリカードの構成を示す図である。
【００１７】
何れのメモリカードも内部メモリ部分は同様の構造をしており、またデータの読み出し及び書き込みバス、アドレスバス、読み出し指示線もほとんど同様である。書き込み指示線に伴う部分に差異が有り、図３のＯＴメモリカードは只書き込み指示だけであるが、図２の通常のメモリカードではこれからデータを書き込む領域のアドレスに既に記録されているデータを一度消去した後新たにデータを書き込む構造になっている。
【００１８】
図４は本形態のデジタルカメラ１００の動作を示すフローチャートである。操作部１０６により電源が投入されたことに応じてフローがスタートする。
【００１９】
まず、撮像装置内に装填されたメモリカードが通常のメモリカードかＯＴメモリカードを判別する（ステップＳ４０１）。
【００２０】
判別の結果、通常のメモリカードであれば、撮影した画像データをメモリカードに書き込むデータ書き込みモードとメモリカードの記録データを一括消去するフォーマットモードの何れに設定されたのか判別する（ステップＳ４０２）。フォーマットモードが選択された場合、メモリカードに対してＦｌａｓｈ消去処理を指示することでメモリカードのフォーマットを行う（ステップＳ４０７）。具体的には、メモリカードの全てのアドレスに対して“１”あるいは“０”のデータを書き込む。
【００２１】
また、データ書き込みモードが選択された場合、画像データの書き込み指示が来るのを待ち（ステップＳ４０３）、画像データの書き込み指示があると、まずメモリカードの空きエリアを検出し（ステップＳ４０４）、更にその空きエリアに撮影された画像データを書き込む（ステップＳ４０５）。
【００２２】
そして、電源オフの指示があったか否かを検出し、電源オフでない場合にはステップＳ４０１に戻る（ステップＳ４０６）。また、電源オフの指示があった場合、処理を終了する。
【００２３】
次に、ステップＳ４０１において、装填されたメモリカードがＯＴメモリカードだった場合、撮影した画像データをＯＴメモリカードに書き込むデータ書き込みモードとＯＴメモリカードの記録データを破壊する破棄モードの何れに設定されたのか判別する（ステップＳ４０８）。
【００２４】
データ書き込みモードが選択された場合、前述の通常のメモリカードと同じ処理に従い画像データの書き込みを行う。一方、破棄モードが選択された場合、データ破壊処理、若しくはメディア破壊処理のルーチンに進む（ステップＳ４０９）。
【００２５】
次に、ＯＴメモリカードに対するデータ破棄の処理について説明する。
【００２６】
図５は制御部１０５によるＯＴメモリカードの破棄ルーチンを示すフローチャートである。
【００２７】
通常ＯＴメモリカードの場合、データの書き込みがなされていない状態では全てのビット（アドレス）の物理状態がデータ“１”若しくは“０”の状態になっており、書き込みによって元の値と違う値のビットのみデータの状態を変更することで書き込みを行う。また、この変更は一度きりであり、例えば初期状態で全てのビットが“１”となっているのメモリカードの場合、或るビットに“０”を書き込むと、その後そのビットを再度“１”に変更する機能は持っていない。
【００２８】
そこで、この様なＯＴメモリカードの記録データを破棄するため、本形態では破棄モードを用意した。即ち、破棄モードでは、ＯＴメモリカードにおいて、既にデータが書き込まれているアドレス以外のアドレスを検出し、これらのアドレスのうちの一部に対してデータを書き込むことで、既にＯＴメモリカードに記録されていた情報データを正常に読み出せなくする。
【００２９】
図５において、破棄モードが選択されると、まず、ＯＴメモリカードにおいてデータの書き込みがなされていない領域（アドレス）をカードＩ／Ｆ１０４により検出する。そして、これらの領域のうち、データを書き込む一部のアドレスを決定し、書き込みアドレスをこの一部の領域の先頭アドレスに設定する（ステップＳ５０１）。本形態では、例えば、メモリカードの管理データの記録領域などを選択している。
【００３０】
次に、決定した書き込みアドレス全てに対してデータの書き込みが終了したか判別し（ステップＳ５０２）、終了していない場合には設定したアドレスにデータを書き込み（ステップＳ５０３）、書き込みアドレスを次のアドレスに変更する（ステップＳ５０４）。
【００３１】
以下、同様にデータを書き込み、決定した領域全てにデータを書き込むと処理を終了する。
【００３２】
この様に、ＯＴメモリカードにおいて、データの書き込みが行われていない領域の一部に対して、通常の情報データとは全く無関係にデータを書き込むことで、既にメモリカードに記録されていたデータを正常に読み出すことができなくなり、このままメモリカードを廃棄した場合にも他人にデータを読み出される虞がない。
【００３３】
また、破棄モードで新たにデータを書き込む領域として、画像ファイルの管理データ領域などを選ぶことで、この管理データの一部にデータを書き込むだけで管理データは全く意味のないデータとなる。そのため、少しのデータを書き込むだけで画像データの正常な読み出しを防止することができ、短い時間でデータを破棄することができる。
【００３４】
なお、本形態では、破棄モードにおいて、データが記録されていない領域のうちの一部に対してデータを書き込むことで、正常なデータの読み出しを防止していたが、データが記録されていない領域全てに対してデータを書き込み、メモリカードの全てのアドレスにデータ“１”あるいは“０”を書き込むようにしてもよい。
【００３５】
また、データが記録されていない領域のうち、所定のアドレス間隔でデータを書き込んだり、或いは、ランダムに選択したアドレスに対してデータを書き込む構成でもよい。
【００３６】
次に、本発明の他の実施形態について説明する。なお、本形態においてもデジタルカメラの構成は図１と同様である。
【００３７】
本形態にて扱うＯＴメモリカードは図３のものとは異なる。本形態にて扱うＯＴメモリカードの構成を図６に示す。
【００３８】
図６において、内部メモリ関連部分については図３と同様であるので説明は省略する。電源とグランド及び内部回路との間にはダイオードＤ１、Ｄ２が配置されており、電流の方向が制限されている。また電源線にはヒューズＦが配されており、通常電圧印可時はヒューズＦ、ダイオードＤ１を通り内部メモリ回路に電力が供給され、逆電圧印可時はダイオードＤ２、ヒューズＦを通り電流が流れる。
【００３９】
本形態における基本的な処理は図４に示した処理と同じであり、ステップＳ４０９のデータ破棄の処理ルーチンが異なる。
【００４０】
ＯＴメモリカードに対するデータ破棄モードでは、カードに対して通常と異なる電源電圧を印可する。本形態では、通常正電圧を印可する電源に対して負電圧を一定期間印可する。
【００４１】
この時のメモリカードの動作を図６で説明すると、通常撮影時に電源端子より正常な電圧を印可されている状態では、電流はヒューズＦ、ダイオードＤ１を通りメモリ回路に流れ、メモリ回路で正常に消費された後グランドに達するという動作が行われる。
【００４２】
一方、破棄モードにおいては、負電圧が加えられるため、電流は逆にグランド側からメモリ回路で消費されることなく直接ダイオードＤ２、ヒューズＦを通って電源に達する。これによって、この回路は短絡状態になり、電流が所定以上流れることになってしまい、よってヒューズＦは溶断する。
【００４３】
従って、その後再度正常な電圧が電源に印可されたとしても、ヒューズＦが溶断しているために電流がメモリ回路内に流れることはなく、メモリカードは動作しなくなる。そのため、メモリカードより正常にデータを読み出すことができなくなる。
【００４４】
なお、図６に示したＯＴメモリカードにおいて、ダイオードＤ２をツェナーダイオードで構成し、破棄モードでは負電圧ではなく、正電圧でかつ通常よりも高電圧を印加することで、同様にヒューズＦを溶断させることができる。
【００４５】
【発明の効果】
以上説明した様に、本発明によれば、一回のみデータの書き込みが可能な記録媒体を廃棄する場合にも、廃棄した後にデータを読み出される虞がない。
【図面の簡単な説明】
【図１】本発明が適用されるデジタルカメラの構成を示す図である。
【図２】通常のメモリカードの構成を示す図である。
【図３】ＯｎｅＴｉｍｅメモリカードの構成を示す図である。
【図４】デジタルカメラの動作を示すフローチャートである。
【図５】破棄モードの動作を示すフローチャートである。
【図６】ＯｎｅＴｉｍｅメモリカードの構成を示す図である。
【図１】
2004252697.tif 000003
【図２】
2004252697.tif 000004
【図３】
2004252697.tif 000005
【図４】
2004252697.tif 000006
【図５】
2004252697.tif 000007
【図６】
2004252697.tif 000008